(57)【特許請求の範囲】
【請求項１】
ヘルメット帽体の内部にヘルメット装着具が配設され、前記ヘルメット帽体の外面に載置用係合部が形成されるとともに、前記ヘルメット帽体の内面に載置用被係合部が形成されたヘルメットであって、
前記載置用被係合部は、前記ヘルメット帽体の下端部に設けられ、
前記載置用係合部は、前記ヘルメット帽体の前記載置用被係合部よりも上方の位置で、外面側に突出した形状を呈し、
前記ヘルメットを複数、上下方向に積み重ねた場合に、上側に位置するヘルメットの前記載置用被係合部が下側に位置するヘルメットの前記載置用係合部に係合する形で、当該上側に位置するヘルメットが当該下側に位置するヘルメットに支持されるように構成されていることを特徴とするヘルメット。
【請求項２】
前記載置用係合部が３つ以上であるとともに、前記載置用被係合部が３つ以上であることを特徴とする請求項１に記載のヘルメット。
【請求項３】
前記ヘルメット帽体は、樹脂により一体成形されていることを特徴とする請求項１または２に記載のヘルメット。
【発明の詳細な説明】
【技術分野】
【０００１】
本発明は、ヘルメットに関し、さらに詳しくは、防災用、工事用、スポーツ用など各種の用途において、頭部に装着して落下物その他の衝撃から頭部を保護するためのヘルメットに関するものである。
【背景技術】
【０００２】
この種のヘルメットは、如何なる状況でも装着者の頭部を確実に保護するため、装着者の頭部にしっかり固定される必要がある。従来、こうしたヘルメットとしては、ハンモックおよびヘッドバンドからなるヘルメット装着具をヘルメット帽体の内部に配設したものが知られている（例えば、特許文献１、２参照）。
【先行技術文献】
【特許文献】
【０００３】
【特許文献１】特開平１０−８８４１４号公報
【特許文献２】特開２００６−１３８０３９号公報
【発明の概要】
【発明が解決しようとする課題】
【０００４】
しかしながら、このような従来のヘルメットでは、ヘルメット帽体の内部にヘルメット装着具が設けられていることから、複数のヘルメットを上下方向に積み重ねると、これらのヘルメットの積層状態が安定性を欠き、特にヘルメットの数（段数）が多い場合には、ヘルメットがずり落ちて荷崩れを起こしやすくなる。したがって、複数のヘルメットをまとめて流通させたり保管・陳列したりする際の利便性に優れないという課題があった。
【０００５】
本発明は、このような事情に鑑み、複数のヘルメットをまとめて流通させたり保管・陳列したりする際の利便性を向上させることが可能なヘルメットを提供することを目的とする。
【課題を解決するための手段】
【０００６】
かかる目的を達成するため、請求項１に記載の発明は、ヘルメット帽体の内部にヘルメット装着具が配設され、前記ヘルメット帽体の外面に載置用係合部が形成されるとともに、前記ヘルメット帽体の内面に載置用被係合部が形成されたヘルメットであって、前記載置用被係合部は、前記ヘルメット帽体の下端部に設けられ、前記載置用係合部は、前記ヘルメット帽体の前記載置用被係合部よりも上方の位置で、外面側に突出した形状を呈し、前記ヘルメットを複数、上下方向に積み重ねた場合に、上側に位置するヘルメットの前記載置用被係合部が下側に位置するヘルメットの前記載置用係合部に係合する形で、当該上側に位置するヘルメットが当該下側に位置するヘルメットに支持されるように構成されているヘルメットとしたことを特徴とする。
【０００７】
また、請求項２に記載の発明は、請求項１に記載の構成に加え、前記載置用係合部が３つ以上であるとともに、前記載置用被係合部が３つ以上であることを特徴とする。
【０００８】
また、請求項３に記載の発明は、請求項１または２に記載の構成に加え、前記ヘルメット帽体は、樹脂により一体成形されていることを特徴とする。
【発明の効果】
【０００９】
請求項１に記載の発明によれば、複数のヘルメットを上下方向に積み重ねた場合に、上側に位置するヘルメットの載置用被係合部が下側に位置するヘルメットの載置用係合部に係合する形で、上側に位置するヘルメットが下側に位置するヘルメットに支持されるように構成されているので、複数のヘルメットを上下方向に積み重ねても、その積層状態を安定させてヘルメットの荷崩れを防止することができる。その結果、複数のヘルメットをまとめて流通させたり保管・陳列したりする際の利便性を向上させることが可能となる。
【００１０】
請求項２に記載の発明によれば、載置用係合部および載置用被係合部がいずれも３つ以上であるため、複数のヘルメットを上下方向に積み重ねた場合に、下側のヘルメットに対して上側のヘルメットが３点以上で確実に支持される。したがって、複数のヘルメットを上下方向に積み重ねた場合の安定性を一層向上させることができる。
【００１１】
請求項３に記載の発明によれば、ヘルメット帽体が樹脂により一体成形されているので、製造ラインによる大量生産に適したヘルメット帽体を提供し、ヘルメット帽体の製造時の歩留まりを高めて製造コストを抑制することが可能となる。
【図面の簡単な説明】
【００１２】
【図１】本発明の実施の形態１に係るヘルメットの斜視図である。
【図２】同実施の形態１に係るヘルメットの背面図である。
【図３】同実施の形態１に係るヘルメットの底面図である。
【図４】同実施の形態１に係るヘルメットを２つ上下方向に積み重ねた状態を示す側面図である。
【図５】図４のＡ−Ａ線による拡大端面図である。
【図６】図４のＢ−Ｂ線による拡大端面図である。
【発明を実施するための形態】
【００１３】
以下、本発明の実施の形態について説明する。
［発明の実施の形態１］
図１乃至図６には、本発明の実施の形態１を示す。
【００１４】
実施の形態１に係るヘルメット１は、図１乃至図３に示すように、工事用、各種作業用、或いは防災用のものであり、強度および剛性に優れた合成樹脂（例えば、ＡＢＳ樹脂など）により一体成形された略半球形のヘルメット帽体２を有している。このヘルメット帽体２は、有色不透明、有色透明または無色透明であり、ヘルメット１の装着者の頭部の形状に対応した形状の帽体本体３と、この帽体本体３の周縁から水平方向に突出する形で一体に形成された庇部５とから構成されている。さらに、帽体本体３は、帽体前部６および帽体後部７から構成されている。ここで、ヘルメット帽体２は、左右対称に形成されているとともに、前後非対称に形成されている。
【００１５】
そして、帽体前部６の外面には、図１に示すように、左右一対の「載置用係合部」としての前方載置用係合部１０が庇部５に跨る形で凸設されている。また、帽体前部６の内面には、図３に示すように、左右一対の第１膨出部１６が内向きに突設されており、これらの第１膨出部１６の下面には、左右一対の「載置用被係合部」としての前方載置用被係合部１２が、左右一対の前方載置用係合部１０に対応する位置に凹設されている。
【００１６】
一方、帽体後部７の外面には、図１および図２に示すように、段差部１４が、帽体本体３の前部から後部へ向けて低くなるように傾斜する形で帽体本体３のほぼ全周にわたって形成されており、段差部１４の後方の低い位置には、左右一対の「載置用係合部」としての後方載置用係合部１１が凹設されている。また、帽体後部７の内面には、図３に示すように、左右一対の第２膨出部１７が内向きに突設されており、これらの第２膨出部１７の下面には、左右一対の「載置用被係合部」としての後方載置用被係合部１３が、左右一対の後方載置用係合部１１に対応する位置に凸設されている。
【００１７】
そして、複数のヘルメット１を上下方向に積み重ねた場合に、上側に位置するヘルメット１の前方載置用被係合部１２および後方載置用被係合部１３がそれぞれ、下側に位置するヘルメット１の前方載置用係合部１０および後方載置用係合部１１に係合する形で、上側に位置するヘルメット１が下側に位置するヘルメット１に支持されるように構成されている。
【００１８】
さらに、帽体本体３の頭頂部（帽体前部６と帽体後部７との境界）には、図２に示すように、換気部９が設けられている。この換気部９は、ほぼ垂直方向に立設された横長平板状の壁部９ａと、この壁部９ａにヘルメット帽体２の内外を連通するように等間隔で形成された複数の通気孔９ｂとから構成されている。
【００１９】
また、庇部５は、図１および図３に示すように、左右対称に形成されているとともに、前後非対称に形成されており、その前部５ａの突出量が他の部分より大きくなっている。
【００２０】
また、ヘルメット帽体２の内部には、このヘルメット帽体２を装着者の頭部に固定するためのヘルメット装着具（図示せず）が配設されている。このヘルメット装着具は、合成樹脂製（例えば、ポリエチレン製）のハンモックと、このハンモックと同じ素材によって装着者の頭部に沿うようにほぼ円環状に形成されたヘッドバンドから構成されている。このハンモックは、装着者の頭頂部に接触して当該頭頂部を押さえるためのものであり、ヘルメット帽体２の頭頂部の近傍に位置するように帽体本体３に取り付けられている。一方、ヘッドバンドは、装着者の頭部を周囲から挟持するためのものであり、装着者の頭部の大きさに応じて拡縮自在になるようにハンモックに取り付けられている。さらに、このヘッドバンドには、顎紐が付設されており、この顎紐を引くことにより、ヘッドバンドを縮小させて装着者の頭部に密着させるとともに、逆に、この顎紐を緩めることにより、ヘッドバンドを拡大させて装着者の頭部に対する密着状態を解除することができるように構成されている。
【００２１】
次に、このヘルメット１の使用方法について説明する。
【００２２】
まず、このヘルメット１を頭部に装着する際には、ヘルメット装着具のヘッドバンドが拡大した状態で、ヘルメット帽体２の帽体前部６を前にして頭部にヘルメット１を被る。すると、装着者の頭頂部はヘルメット装着具のハンモックに接触して上から押さえられた状態となる。
【００２３】
この状態で、顎紐を引いてヘルメット装着具のヘッドバンドを縮小させる。すると、このヘッドバンドは装着者の頭部に密着した状態となる。その結果、ヘルメット１は、ヘルメット装着具によって装着者の頭部にしっかり固定された状態となる。したがって、このヘルメット１により、装着者の頭部を確実に保護することが可能となる。
【００２４】
逆に、このヘルメット１を頭部から取り外す際には、顎紐を緩めてヘルメット装着具のヘッドバンドを拡大させる。すると、ヘルメット装着具のヘッドバンドは、装着者の頭部に対する密着状態が解除された状態となる。この状態で、ヘルメット１を持ち上げて頭部から取り外す。
【００２５】
また、このヘルメット１を複数まとめて流通させたり保管・陳列したりする際には、次の手順により、これらのヘルメット１を順に上下方向に積み重ねる。
【００２６】
まず、図４に示すように、作業台１５の上に１つ目のヘルメット１Ａを置き、このヘルメット１Ａの上に２つ目のヘルメット１Ｂを置く。このとき、２つ目のヘルメット１Ｂについては、予めヘルメット装着具のヘッドバンドを拡大させておく。そして、図５および図６に示すように、上側に位置するヘルメット１Ｂの前方載置用被係合部１２および後方載置用被係合部１３をそれぞれ、下側に位置するヘルメット１Ａの前方載置用係合部１０および後方載置用係合部１１に接触させて係合させる。すると、下側に位置する１つ目のヘルメット１Ａに対して、上側に位置する２つ目のヘルメット１Ｂが、ほぼ真上でほぼ水平に支持された状態となる。
【００２７】
このとき、上側に位置するヘルメット１Ｂは、ヘルメット装着具のヘッドバンドが拡大した状態になっているので、上側のヘルメット１Ｂの前方載置用被係合部１２および後方載置用被係合部１３と下側のヘルメット１Ａの前方載置用係合部１０および後方載置用係合部１１との接触が、上側のヘルメット１Ｂのヘルメット装着具に邪魔される事態を回避できるばかりでなく、２つのヘルメット１Ａ、１Ｂの積層高さＨを低く抑えることができる（図４参照）。
【００２８】
また、左右一対の後方載置用係合部１１は、上述したとおり、帽体後部７の外面に傾斜して形成された段差部１４の後方の低い位置に凹設されているので、ヘルメット１Ａの上にヘルメット１Ｂを載置するときに、上側のヘルメット１Ｂの後方載置用被係合部１３が下側のヘルメット１Ａの段差部１４に案内されて後方載置用係合部１１に嵌合しやすくなる。その結果、このヘルメット１Ｂの載置作業を迅速かつ正確に行うことが可能となる。
【００２９】
次いで、２つ目のヘルメット１Ｂの上に３つ目のヘルメット（図示せず）を置く。このときも、上側に位置するヘルメットの前方載置用被係合部および後方載置用被係合部をそれぞれ、下側に位置するヘルメット１Ｂの前方載置用係合部１０および後方載置用係合部１１に接触させて係合させる。すると、下側に位置する２つ目のヘルメット１Ｂに対して、上側に位置する３つ目のヘルメットが、ほぼ真上でほぼ水平に支持された状態となる。
【００３０】
以下同様にして、すべてのヘルメット１を上下方向に積み重ねる。
【００３１】
そうすると、１つ目のヘルメット１Ａに対して、その上側に位置するすべてのヘルメット１が、ほぼ真上でほぼ水平に支持されて積み重なった状態となる。したがって、上下方向に積み重ねるヘルメット１の数（段数）が多くても、これらのヘルメット１の積層状態が高い安定性を示し、ヘルメット１の荷崩れを防止することができる。その結果、複数のヘルメット１をまとめて流通させたり保管・陳列したりする際の利便性を向上させることが可能となる。
【００３２】
また、ヘルメット１は、上述したとおり、ヘルメット帽体２の外面に４つの載置用係合部（２つの前方載置用係合部１０および２つの後方載置用係合部１１）が設けられているとともに、ヘルメット帽体２の内面に４つの載置用被係合部（２つの前方載置用被係合部１２および２つの後方載置用被係合部１３）が設けられているため、複数のヘルメット１を上下方向に積み重ねた場合に、下側のヘルメット１に対して上側のヘルメット１を４点支持で確実に支持することができる。したがって、複数のヘルメット１を上下方向に積み重ねた場合の安定性を一層向上させることが可能となる。
【００３３】
さらに、複数のヘルメット１を積み重ねる場合にヘルメット１同士を位置決めするための載置用係合部および載置用被係合部が、いずれもヘルメット帽体２に設けられているので、ヘルメット帽体２のみを加工することにより、これらの載置用係合部および載置用被係合部を容易に形成することができる。その上、このヘルメット帽体２が所定の強度および剛性を有しているため、複数のヘルメット１を積み重ねる場合に、上側のヘルメット１の重量が下側のヘルメット１に作用しても載置用係合部や載置用被係合部が潰れたり移動したりする恐れはなく、ヘルメット１同士の位置決めを正確に行うことが可能となる。
【００３４】
しかも、ヘルメット帽体２は、上述したとおり、左右一対の後方載置用係合部１１が段差部１４に凹設されているため、これらの後方載置用係合部１１の存在がヘルメット帽体２の外観に大きな影響を与えることはなく、ヘルメット帽体２の設計の自由度を高めることができる。
【００３５】
さらに、ヘルメット１は、上述したとおり、ヘルメット帽体２が合成樹脂により一体成形されているので、製造ラインによる大量生産に適したヘルメット帽体２を提供し、ヘルメット帽体２の製造時の歩留まりを高めて製造コストを抑制することが可能となる。
【００３６】
また、ヘルメット１は、上述したとおり、ヘルメット帽体２の帽体本体３の頭頂部、つまり装着者の頭部で発生した熱が籠もりやすい部位に換気部９が設けられているため、この熱をヘルメット１の装着中に換気部９の通気孔９ｂからヘルメット帽体２の外部に排出することができる。したがって、このヘルメット１を装着して工事を行う場合には、ヘルメット１の装着者の頭部が高温になってしまう事態を抑制しつつ作業を継続することが可能となる。
【００３７】
しかも、この換気部９は、上述したとおり、ほぼ垂直方向の壁部９ａに通気孔９ｂが形成された構造、つまり通気孔９ｂが上方に向けて開口していない構造を有しているので、ヘルメット１を被った状態で雨水が換気部９の通気孔９ｂを通ってヘルメット帽体２の内部に入り込む不都合の発生を回避することができる。
［発明のその他の実施の形態］
なお、前方載置用係合部１０、後方載置用係合部１１、前方載置用被係合部１２、後方載置用被係合部１３については、複数のヘルメット１を上下方向に積み重ねた場合に、前方載置用係合部１０と前方載置用被係合部１２とが互いに係合するとともに、後方載置用係合部１１と後方載置用被係合部１３とが互いに係合するものであれば、上述した形状に限定されるわけではない。
【００３８】
その一例として、上述した実施の形態１では、ヘルメット帽体２の帽体本体３に、前方載置用係合部１０および後方載置用被係合部１３が凸設されるとともに、前方載置用被係合部１２および後方載置用係合部１１が凹設されているヘルメット１について説明した。しかし、例えば、前方載置用係合部１０および後方載置用被係合部１３を凹設するとともに、前方載置用被係合部１２および後方載置用係合部１１を凸設してもよい。或いはまた、前方載置用係合部１０および後方載置用係合部１１を凸設するとともに、前方載置用被係合部１２および後方載置用被係合部１３を凹設しても構わない。
【００３９】
また、上述した実施の形態１では、ヘルメット帽体２が合成樹脂により一体成形されたヘルメット１について説明したが、これに限らず、ヘルメット帽体２の前方載置用係合部１０、後方載置用係合部１１、前方載置用被係合部１２、後方載置用被係合部１３を別途作製して取り付けることも可能である。この場合、これらのヘルメット帽体２の前方載置用係合部１０、後方載置用係合部１１、前方載置用被係合部１２、後方載置用被係合部１３の材質や色などの特性を帽体本体３と異なるものにすることもできる。
【００４０】
例えば、ヘルメット帽体２の前方載置用係合部１０、後方載置用係合部１１、前方載置用被係合部１２、後方載置用被係合部１３として柔軟性のあるものを採用することにより、これらの衝撃吸収性を向上させることもできる。或いは、ヘルメット帽体２の前方載置用係合部１０、後方載置用係合部１１、前方載置用被係合部１２、後方載置用被係合部１３を帽体本体３より目立つ色にすることにより、複数のヘルメット１を上下方向に積み重ねる場合に、上側に位置するヘルメット１の前方載置用被係合部１２および後方載置用被係合部１３をそれぞれ、下側に位置するヘルメット１の前方載置用係合部１０および後方載置用係合部１１に係合させやすくすることも可能である。
【００４１】
また、上述した実施の形態１では、複数のヘルメット１を上下方向に積み重ねた場合に、下側のヘルメット１に対して上側のヘルメット１を４点支持で確実に支持すべく、ヘルメット帽体２に、４つの載置用係合部（２つの前方載置用係合部１０および２つの後方載置用係合部１１）を設けるとともに、４つの載置用被係合部（２つの前方載置用被係合部１２および２つの後方載置用被係合部１３）を設けたヘルメット１について説明した。しかし、これらの載置用係合部および載置用被係合部の数は、複数のヘルメット１を積み重ねた場合の安定性等を確保できれば、適宜増減させることができる。
【００４２】
また、上述した実施の形態１では、合成樹脂により一体成形されたヘルメット帽体２を備えたヘルメット１について説明したが、ヘルメット帽体２の構成は、これに限るわけではない。例えば、折り畳み式のヘルメット帽体（すなわち、平板状態で形状が安定する部材で成形された複数枚の板材を備え、折り畳んだ状態でこれらの板材が扁平状態となり、展開した状態で頭部に被れる形状となる構造のヘルメット帽体）を備えたヘルメットに本発明を同様に適用することもできる。
【００４３】
さらに、上述した実施の形態１では、工事用、各種作業用、或いは防災用のヘルメット１について説明したが、その他の用途（例えば、スポーツ用、乗車用、警察用、消防用など）に使用されるヘルメットに本発明を同様に適用することも可能である。
【符号の説明】
【００４４】
１……ヘルメット
２……ヘルメット帽体
１０……前方載置用係合部（載置用係合部）
１１……後方載置用係合部（載置用係合部）
１２……前方載置用被係合部（載置用被係合部）
１３……後方載置用被係合部（載置用被係合部）
【図１】
0006474224.tif 000002
【図２】
0006474224.tif 000003
【図３】
0006474224.tif 000004
【図４】
0006474224.tif 000005
【図５】
0006474224.tif 000006
【図６】
0006474224.tif 000007